(57)【特許請求の範囲】
【請求項１】
両表面のうち片方の表面に多数本の透明電極パターンを形成したフロント透明基板と，両表面のうち片方の表面に多数本の透明電極パターンを形成したリア透明基板とを，その各々における透明電極パターンを形成した表面が互い向かい合わせになるように重ね合わせ，その間の隙間に液晶を充填し，前記両透明基板のうち一方の透明基板における表面の一部に，任意の一つの色に着色した着色フィルタ膜を，当該一方の透明基板の表面における前記透明電極パターンに重ねて形成する一方，バックライト光源を，当該バックライト光源からの光が両透明基板を透過するように前記リア透明基板の裏面側に配設して，前記フロント透明基板における表面画面のうち前記着色フィルタ膜の部分を，当該着色フィルタ膜による着色表示部に構成して成る部分着色液晶表示装置において，
前記一方の透明基板において前記透明電極パターンを形成した表面のうち前記着色フィルタ膜が形成されていない部分に，無着色の透明フィルタ膜を，当該一方の透明基板における透明電極パターンに重ねて形成したことを特徴とするバックライト式部分着色液晶表示装置の構造。
【発明の詳細な説明】
【０００１】
【発明の属する技術分野】
本発明は，バックライト式の液晶表示装置において，その表示画面の一部に，この表示画面と異なる色に着色した着色表示部を設けて成る部分着色液晶表示装置の構造に関するものである。
【０００２】
【従来の技術】
バックライト式の液晶表示装置は，従来から良く知られているように，片面に多数本の透明電極パターンを形成したフロント透明基板と，片面に多数本の透明電極パターンを形成したリア透明基板とを，その各々における透明電極パターンが向かい合わせになるように重ね合わせ，その間の隙間に液晶を充填して液晶層を形成する一方，前記リア透明基板の裏面側に，バックライト光源を，当該バックライト光源からの光が前記両透明基板を透過するように配設すると言う構成にしている。
【０００３】
また，最近においては，前記バックライト式液晶表示装置を，そのフロント透明基板の表面における表示画面の一部に，この表示画面と異なる色に着色した着色表示部を設けるというように部分着色にすることが行われており，この場合，従来は，前記二枚の透明基板のうちリア透明基板に一部に，任意の色に着色した着色フィルタ膜を，当該リア透明基板における透明電極パターンに重ねて形成することにより，バックライト光源からの光を，この着色フィルタ膜によって着色するように構成している。
【０００４】
【発明が解決しようとする課題】
しかし，この従来における部分着色の液晶表示装置は，両透明基板のうちリア透明基板に，着色フィルタ膜を部分的に設けると言う構成であり，着色フィルタ膜が両透明基板間における液晶層内に突出していることにより，前記液晶層における厚さは，前記着色フィルタ膜が設けられている部分では薄く，前記着色フィルタ膜が設けられていない部分では厚くなると言うように不揃いになるから，前記着色フィルタ膜の部分とこの着色フィルタ膜以外の部分との間において，色相が相違し，色相の不均一が発生すると言う問題があった。
【０００５】
しかも，前記従来における部分着色の液晶表示装置では，バックライト光源からの光の透過率が，前記着色フィルタ膜の部分と，前記着色フィルタ膜以外の部分とで相違すると言う問題もあった。
本発明は，これらの問題を解消することを技術的課題とするものである。
【０００６】
【課題を解決するための手段】
この技術的課題を達成するため本発明は，
「両表面のうち片方の表面に多数本の透明電極パターンを形成したフロント透明基板と，両表面のうち片方の表面に多数本の透明電極パターンを形成したリア透明基板とを，その各々における透明電極パターンを形成した表面が互い向かい合わせになるように重ね合わせ，その間の隙間に液晶を充填し，前記両透明基板のうち一方の透明基板における表面の一部に，任意の一つの色に着色した着色フィルタ膜を，当該一方の透明基板の表面における前記透明電極パターンに重ねて形成する一方，バックライト光源を，当該バックライト光源からの光が両透明基板を透過するように前記リア透明基板の裏面側に配設して，前記フロント透明基板における表面画面のうち前記着色フィルタ膜の部分を，当該着色フィルタ膜による着色表示部に構成して成る部分着色液晶表示装置において，
前記一方の透明基板において前記透明電極パターンを形成した表面のうち前記着色フィルタ膜が形成されていない部分に，無着色の透明フィルタ膜を，当該一方の透明基板における透明電極パターンに重ねて形成する。」
と言う構成にした。
【０００７】
【発明の作用・効果】
このように，リア透明基板において前記透明電極パターンを形成した表面のうち前記着色フィルタ膜が形成されていない部分に，無着色の透明フィルタ膜を，当該リア透明基板における透明電極パターンに重ねて形成することにより，両透明基板の間における液晶層のうち前記着色フィルタ膜以外の部分における厚さを，その部分に設けた無着色の透明フィルタ膜にて，前記着色フィルタ膜の部分における液晶層の厚さに，この着色フィルタ膜以外の部分を着色することがない状態のもとで，近づけ又は等しくすることができると共に，バックライト光源からの光の透過率に違いができることを，前記無着色の透明フィルタ膜にて低減できるのである。
【０００８】
従って，本発明によると，バックライト式の液晶表示装置において，その表示画面の一部に着色フィルタによる着色表示部を設ける場合において，前記着色フィルタ膜の部分とこの着色フィルタ膜以外の部分との間において色相が相違することを低減できて，色相の均一化を図ることができると共に，バックライト光源からの光の透過率の均一化を図ることができる効果を有する。
【０００９】
【発明の実施の形態】
以下，本発明の実施の形態を，図１及び図２に示す実施の形態について説明する。
この実施の形態におけるバックライト式の部分着色液晶表示装置１は，図１に示すように，外側における符号Ａの領域部分（ハッチングを施した部分）を無表示画面に，その内側における符号Ｂの領域部分を無着色の表示画面にし，この表示画面Ｂの中の一部に，例えばセブンセグメント等のような着色表示の領域部分Ｃ（網目を施した部分）を設けて，前記表示画面の領域部分Ｂに適宜の文字等を表示する一方，着色表示の領域部分Ｃに数字を着色して表示する場合である。
【００１０】
このバックライト式の部分着色液晶表示装置１は，両表面のうち片方の表面に多数本の透明電極パターン４を形成してフロント側に位置するフロント透明基板２と，両表面のうち片方の表面に多数本の透明電極パターン５を形成してリア側に位置するリア透明基板３とを，その各々における透明電極パターン４，５を形成した面が互いに向かい合わせになるように重ね合わせ，その間の隙間に液晶を充填し液晶層６を形成する一方，前記リア透明基板３の裏面側の部分に，図示しないバックライト光源を，当該バックライト光源からの光が両透明基板２，３を透過するように配設したものに構成されている。
【００１１】
また，前記両透明基板２，３のうちリア透明基板３において前記透明電極パターン５を形成した表面には，前記無表示画面の領域部分Ａに黒色等の不透明膜７が，前記着色表示の領域部分Ｃに例えば赤色又は青色等に着色した着色フィルタ膜８が，当該リア透明基板３における透明電極パターン５に重ねるようにして形成されている。なお，符号９，１０は，ポリイミド樹脂等の配向膜を示す。
【００１２】
そして，このままの構成であると，着色フィルタ膜８が液晶層６内に突出していることにより，前記液晶層６の厚さが，前記着色フィルタ膜８が設けられている部分では薄く，前記着色フィルタ膜８がない部分では厚くなると言うように不揃いになり，しかも，バックライト光源からの光の透過率も，前記着色フィルタ膜８の部分とこれ以外の部分とで違いができることになる。
【００１３】
そこで，本発明においては，前記リア透明基板３において前記透明電極パターン５を形成した表面のうち前記無表示画面の領域部分Ａ及び前記着色表示の領域部分Ｃ以外の部分，つまり，前記表示画面の領域部分Ｂの部分，更に換言すると，前記無表示画面の領域部分Ａの内側で前記着色フィルタ膜８が形成されていない部分に，適宜厚さの無着色の透明フィルタ膜１１を，当該リア透明基板３における透明電極パターン５に重ねるようにして形成することにしたのである。
【００１４】
このように，表示画面の領域部分Ｂの部分に適宜厚さの無着色の透明フィルタ膜１１を設けることにより，両透明基板２，３の間における液晶層６のうち前記着色フィルタ膜８以外の部分，つまり，前記表示画面の領域部分Ｂにおける厚さを，その部分に設けた無着色の透明フィルタ膜１１にて，前記着色フィルタ膜８の部分における液晶層６の厚さに，この着色フィルタ膜以外の部分，つまり，前記表示画面の領域部分Ｂを着色することがない状態のもとで，近づけ又は等しくすることができると共に，バックライト光源からの光の透過率に違いができることを，前記無着色の透明フィルタ膜１１にて低減できるのである。
【００１５】
なお，本発明は，図示したように，両透明基板２，３のうちリア透明基板３側に着色フイルタ膜８及び透明フィルタ膜１１を形成することに代えて，両透明基板２，３のうちフロント透明基板２側に形成すると言う構成にしても良いのである。
【図面の簡単な説明】
【図１】  本発明の実施の形態の液晶表示装置の表面図である。
【図２】  図１のII−II視拡大断面図である。
【符号の説明】
１                液晶表示装置
２                フロント透明基板
３                リア透明基板
４，５            透明電極パターン
６                液晶層
７                不透明膜
８                着色フィルタ膜
１１              無着色の透明フィルタ膜
Ｂ                表示画面の領域部分
Ｃ                着色表示の領域部分
【図１】
0003863310.tif 000002
【図２】
0003863310.tif 000003